(57)【特許請求の範囲】
【請求項１】
表面と裏面とを有する半導体基板と、
該半導体基板の前記裏面側に設けられた集電部と、
前記半導体基板の前記裏面側に露出し、島状に分かれて設けられた出力取出部と、を備え、
該出力取出部の少なくとも一方側に前記集電部に向かって突出する突出部が形成され、
該突出部の少なくとも一部は前記集電部上に位置し、
前記出力取出部同士は前記突出部で接続されていることを特徴とする太陽電池素子。
【請求項２】
前記出力取出部は、前記集電部より半田濡れ性がよい金属からなることを特徴とする請求項１に記載の太陽電池素子。
【請求項３】
前記集電部がアルミニウムを主成分とし、前記出力取出部が銀を主成分とすることを特徴とする請求項１または２に記載の太陽電池素子。
【請求項４】
請求項１〜３のいずれかに記載の複数の太陽電池素子と、前記出力取出部に半田づけされて前記複数の太陽電池素子を電気的に接続するインナーリードと、を有する太陽電池モジュール。
【発明の詳細な説明】
【技術分野】
【０００１】
本発明は太陽電池素子および太陽電池モジュールに関し、特に裏面電極を集電部と出力取出部とで構成した太陽電池素子およびその太陽電池素子を用いた太陽電池モジュールに関する。
【背景技術】
【０００２】
従来の太陽電池素子を図９に示す。例えばＰ型半導体基板１の表面近傍全面に一定の深さまでＮ型不純物を拡散させてＮ型を呈する拡散層２を設け、半導体基板１の表面に窒化シリコン膜などから成る反射防止膜３を設け、表面に表面電極４を設けるとともに、裏面にはアルミニウムなどから成る集電部と銀などから成る出力取出部６とで構成される裏面電極を設けている。
【０００３】
このような太陽電池素子７は、図１０に示すように、複数の素子同士をインナーリード８を用いて直列に接続して、電圧を昇圧させて使用するのが一般的である。この素子７間の接続にははんだが必要となるため、表面電極４および裏面電極の出力取出部６にはんだ濡れ性が良好な素材を用いて太陽電池素子７の電極にはんだコーティングを行っている。はんだコーティングの方法としては、はんだ槽に太陽電池素子７を浸漬させる方法が一般的である。
【０００４】
複数の太陽電池素子７を接続するには、インナーリード８の一方端を表面電極４のバスバー部１６上の略全長にわたって配設し、その全長もしくは複数個所をホットエアーや半田ごてなどを用いて熱溶着することによって表面電極４に接続するとともに、インナーリード８の他方端を、隣接する素子７の裏面の出力取出部６上に配設し、その全長もしくは複数個所を溶着することによって出力取出部６に接続する。
【０００５】
その後、図１１に示すように受光面側にガラスなどからなる透光性パネル９を配置し、裏面側の鋼板入りフィルムなどからなる裏面保護材１０との間に、複数の太陽電池素子７を直列および並列に接続してＥＶＡ（エチレン−酢酸ビニル共重合体）などの透明な充填材１１で封入し、さらに図１２に示すように、アルミ押出形材等からなるフレーム部材１２を周縁部に取り付けた方式の太陽電池モジュールが多用されている。
【発明の開示】
【発明が解決しようとする課題】
【０００６】
しかし、この従来の太陽電池モジュールでは、太陽電池素子７の電極４、６とインナーリード８とを熱溶着する際に、裏面電極の出力取出部６の余剰なはんだがインナーリード８の外周部に流れ出したり凝集したりして、はんだ玉や突起部を形成する。表面側では、図１３に示すように、通常バスバー部１６と直交するように、複数本のフィンガー電極１７が形成されているので、この問題は起こりにくい。しかし、裏面側は、図１４に示す従来のパターンによると、余剰なはんだでも出力取出部６の外には流れ出ないので、インナーリード８の外周部に凝集したりして、はんだ玉や突起部を形成するという問題が起こりやすい。
【０００７】
はんだ玉や突起部がインナーリード８の外周部などに形成された状態でガラスなどの透光性パネル９と、裏面側の鋼板入りフィルムなどからなる裏面保護材１０との間に、複数の太陽電池素子７を直列および並列に接続してＥＶＡ（エチレン−酢酸ビニル共重合体）などの透明な充填材１１でラミネートすると、はんだ玉や突起部に局部的に力がかかり、太陽電池素子７が割れるという問題があった。この問題は、特に両面にガラスなどの硬質の透光性パネル９と裏面保護材１０を用いたときに多く発生していた。
【０００８】
この問題を防ぐ方法としては、熱溶着時に発生したはんだ玉や突起部をラミネート前に取り除く必要があるが、作業工程の増加を招く。また、上述の問題を防ぐ別の方法としては、太陽電池素子７にコーティングするはんだ量を減らすことが考えられる。しかし、浸漬式のはんだコーティング法では、条件制御によってはんだ量を調整することは困難であり、さらに減らしすぎた場合にはインナーリード８との溶着が不充分となり、充分な強度が得られないという問題が発生するため、コントロールが難しかった。
【０００９】
なお、基板をはんだ槽に浸漬させて電極の表面にはんだコーティングを行う際には、基板全体が加熱されるため、はんだは逃げ道がありはんだ玉にはなりにくいが、インナーリードを熱融着する場合には、上述のようにインナーリードの下部のはんだ量が多くなることからはんだ玉になりやすい。しかも、インナーリードを熱融着するときには、局部的に加熱するためはんだ玉になりやすいという問題がある。
【００１０】
本発明は、このような従来技術の問題点に鑑みてなされたものであり、太陽電池素子の電極とインナーリードとを熱溶着する際に、裏面電極の出力取出部の余剰なはんだがインナーリードの外周部に流れ出したり凝集したりして、はんだ玉や突起部が形成されるという従来の問題を解消した太陽電池素子とそれを用いた太陽電池モジュールを提供することを目的とする。
【課題を解決するための手段】
【００１１】
本発明の太陽電池素子は、表面と裏面とを有する半導体基板と、該半導体基板の前記裏面側に設けられた集電部と、前記半導体基板の前記裏面側に露出し、島状に分かれて設けられた出力取出部と、を備え、該出力取出部の少なくとも一方側に前記集電部に向かって突出する突出部が形成され、該突出部の少なくとも一部は前記集電部上に位置し、前記出力取出部同士は前記突出部で接続されていることを特徴とする。
【００１２】
本発明の太陽電池モジュールでは、上述の太陽電池素子と、前記出力取出部に半田づけされて前記複数の太陽電池素子を電気的に接続するインナーリードと、を有する太陽電池モジュール。
【発明の効果】
【００１３】
以上のように、本発明の太陽電池素子によれば、裏面電極の出力取出部上にインナーリードを配置して半田ごてやホットエアーなどで熱溶着する際には、出力取出部上の余剰なはんだは突出部に流れ、もって余剰なはんだがインナーリードの外周部に凝集したりしてはんだ玉や突起部を形成することを極力低減でき、後工程での太陽電池素子の割れなどを防止できる。
【００１４】
また、本発明の太陽電池モジュールでは、インナーリードを熱溶着する際に、出力取出部上の余剰なはんだは突出部に流れ、もって余剰なはんだがインナーリードの外周部に凝集したりしてはんだ玉や突起部を形成することを極力低減でき、ラミネートするときにはんだ玉や突起部に起因する太陽電池素子の割れが生じにくい。このときに両面にガラスなどの硬質の透光性パネルと裏面保護材を用いたモジュールに太陽電池素子を使用しても、セル割れの問題は発生しにくい。
【発明を実施するための最良の形態】
【００１５】
以下、本発明の実施形態を添付図面に基づき詳細に説明する。本発明に係る太陽電池素子の構造も基本的には従来の太陽電池素子と同様である。すなわち、例えばＰ型半導体基板１の表面近傍全面に一定の深さまでＮ型不純物を拡散させてＮ型を呈する拡散層２を設け、半導体基板１の表面に窒化シリコン膜などから成る反射防止膜３を設け、表面に表面電極４を設けるとともに、裏面にはアルミニウムなどから成る集電部と銀などから成る出力取出部６とで構成される裏面電極を設けている。
【００１６】
このような太陽電池素子は、例えばＰ型半導体基板１をＮ型不純物雰囲気中で熱処理などして、表面領域の全面に一定の深さまでＮ型不純物を拡散させてＮ型を呈する拡散層２を形成し、ＣＶＤ法などで反射防止膜３を形成して拡散層２を分離したのち、表面に銀ペーストを、裏面にはアルミニウムペーストおよび銀ペーストをスクリーン印刷して焼成することにより表面電極４並びに集電部５および電極取出部６から成る電極が形成される。
【００１７】
図１に、太陽電池素子の裏面電極構造の一実施形態を示す。半導体基板１の裏面側の略全面に形成されたアルミニウムなどを主成分とする第一の金属による集電部５と、第一の金属よりも半田濡れ性のよい銀などを主成分とする第二の金属による出力取出部６から成る裏面電極を形成し、この出力取出部６に突出部１３を形成している。このような突出部１３を設けることにより、裏面電極の出力取出部６上にインナーリード８を配設し、半田ごてやホットエアーなどを用いて熱溶着する際に、出力取出部１３上の余剰なはんだは突出部１３に流れ、従来問題であったインナーリード８の外周部に凝集したりして、はんだ玉や突起部を形成するという問題を解決できる。
【００１８】
なお、この突出部１３は、出力取出部１３が帯状に形成される場合は、その長手方向の両側に複数設けることが望ましいが、長手方向の一方側のみに設けてもよい。
【００１９】
また、出力取出部６の突出部１３を、集電部５の上もしくは一部が重なるように設けておくことにより、集電部５のアルミニウムと出力取出部６の銀が合金化され、突出部１３のはんだ濡れ性が若干悪くなる。これにより、インナーリード８を熱溶着する前は、出力取出部６のうち突出部１３のはんだ付着量は他よりも少なくなるように制御することができる。
【００２０】
さらに出力取出部６の突出部１３以外の領域は全面もしくは部分的に銀と半導体基板が接していれば、太陽電池素子７の裏面電極の密着強度も確保できる。
【００２１】
図２に、太陽電池素子の他の実施形態を示す。この太陽電池素子では、出力取出部１３が全体として帯状に形成し、かつ長手方向において島状に分断して形成し、さらにその両側に突出部１３を形成したものである。このように出力取出部５を長手方向において島状に分断することにより、アルミニウムよりも高価な銀の使用量を削減することができる。また、はんだコーティングを行うときの突出部１３へのはんだの流れ込み量をさらに減少させることができる。
【００２２】
図２の出力取出部の拡大図を図３に示す。出力取出部６の中央領域に複数の穴１４を設けている。このように出力取出部６に穴１４を設けることにより、例えば特開２００１−４４４５９号公報に示すように、電極を形成するためのスクリーン印刷をするときに、加圧による中央部の凹部の発生を防ぎ、銀ペーストを厚く印刷できることから、電極強度を向上させることができる。すなわち、この穴１４に対応するスクリーンに間隔保持部材を装填してスクリーン印刷できる。また、穴１４の部分には銀が存在しないことから、はんだコーティングするときのはんだの付着量を抑制できる。
【００２３】
浸漬式のはんだコーティングを行う場合、引き上げ方向の下部にはんだがたまりやすい。そこで図１および図２に示すように、突出部１３を先細の形状にしておくことにより、はんだコーティングを行うときの突出部１３端部のはんだ付着量を抑制できる。
【００２４】
また、これらの素子の裏面電極の出力取出部６上にインナーリード８を配設し、半田ごてやホットエアーなどを用いて熱溶着する際に、出力取出部１３上の余剰なはんだは突出部１３に流れ、従来問題であったインナーリード８の外周部に凝集したりして、はんだ玉や突起部を形成するという問題を解決でき、またラミネートするときにはんだ玉や突起部に局部的に力がかかり、太陽電池素子が割れるという問題を解消できる。
【００２５】
図４ないし図８は、他の実施形態を示す図である。図４に示す太陽電池素子では、突出部１３を複数の細線で形成している。図５に示す太陽電池素子では、突出部１３を複数に分割している。図６に示す太陽電池素子では、突出部１３を格子状に形成している。図７に示す太陽電池素子では、突出部１３の途中で角度を変えている。図８に示す太陽電池素子では、島状に分割した出力取出部６を突出部１３で接続している。
【００２６】
また、図を用いて説明した裏面電極は直線によって構成されているが、曲線によって構成することも可能である。さらに、各図には出力取出部６を半導体基板１の略全長にわたって形成するように記載したが、出力取出部６はインナーリード８との溶着予定位置に限定して形成することも可能である。
【００２７】
太陽電池モジュールは、上述のような太陽電池素子を用いて、その表面電極４と隣接する太陽電池素子の裏面電極の出力取出部６とをインナーリードで接続する。所望の出力が得られるように、多数の太陽電池素子を直並列に接続した状態でガラスなどの透光性パネルと裏面側の鋼板入りフィルムなどからなる裏面保護材との間に配設してＥＶＡ（エチレン−酢酸ビニル共重合体）などの透明な充填材１１でラミネートする。この場合、電極部分のはんだ玉や突起部の発生は極力低減されていることから、太陽電池素子が割れることは極力低減できる。
【００２８】
なお、本発明は、上記実施形態に限定されるものではなく、本発明の範囲内で多くの修正および変更を加えることができる。例えば複数の突出部の形状や突出方向を異なるように形成してもよい。
【図面の簡単な説明】
【００２９】
【図１】太陽電池素子の一実施形態の裏面構造を示す図である。
【図２】太陽電池素子の他の実施形態の裏面構造を示す図である。
【図３】図２の太陽電池素子の裏面電極の出力取出部を示す図である。
【図４】太陽電池素子の他の実施形態の裏面構造を示す図である。
【図５】太陽電池素子の他の実施形態の裏面構造を示す図である。
【図６】太陽電池素子の他の実施形態の裏面構造を示す図である。
【図７】太陽電池素子の他の実施形態の裏面構造を示す図である。
【図８】太陽電池素子の他の実施形態の裏面構造を示す図である。
【図９】従来の太陽電池素子を説明するための図である。
【図１０】従来の太陽電池素子の接続状態を説明するための図である。
【図１１】従来の太陽電池モジュールの構造を説明するための図である。
【図１２】従来の太陽電池モジュールの構造を説明するための図である。
【図１３】従来の太陽電池素子の表面電極部分を示す図である。
【図１４】従来の太陽電池素子の裏面電極部分を示す図である。
【符号の説明】
【００３０】
１・・・半導体基板、２・・・拡散層、３・・・反射防止膜、４・・・表面電極、５・・・集電部、６・・・出力取出部、７・・・太陽電池素子、８・・・インナーリード、９・・・透光性パネル、１０・・・裏面保護部材、１１・・・充填材、１２・・・フレーム部材、１３・・・突出部、１４・・・穴、１５・・・太陽電池モジュール、１６・・・バスバー部、１７・・・フィンガー電極
【図１】
0005142954.tif 000002
【図２】
0005142954.tif 000003
【図３】
0005142954.tif 000004
【図４】
0005142954.tif 000005
【図５】
0005142954.tif 000006
【図６】
0005142954.tif 000007
【図７】
0005142954.tif 000008
【図９】
0005142954.tif 000009
【図１０】
0005142954.tif 000010
【図１１】
0005142954.tif 000011
【図１２】
0005142954.tif 000012
【図１３】
0005142954.tif 000013
【図１４】
0005142954.tif 000014
【図８】
0005142954.tif 000015